(57)【特許請求の範囲】
【請求項１】
複数の床スラブ版を配置し、Ｔ形鋼における突出片部を床スラブ版の目地間に落とし込み、Ｔ形鋼における平板部上に角材を配置し、この角材上に床板材を配置したことを特徴とする衝撃音遮断二重床構造。
【請求項２】
請求項１に記載の衝撃音遮断二重床構造において、前記床スラブ版は、長方形状を有して互いの長辺及び短辺同士を向かい合わせて配置され、前記Ｔ形鋼は、少なくとも床スラブ版の長辺と同等の長さを有し、その突出片部を床スラブ版の長辺側の目地間に落とし込んでいることを特徴とする衝撃音遮断二重床構造。
【請求項３】
請求項１または請求項２に記載の衝撃音遮断二重床構造において、前記Ｔ形鋼における平板部下面と床スラブ版との間に振動衝撃緩和材が設けられていることを特徴とする衝撃音遮断二重床構造。
【請求項４】
請求項１乃至請求項３のいずれかに記載の衝撃音遮断二重床構造において、前記Ｔ形鋼における平板部上面と角材との間に振動衝撃緩和材が設けられていることを特徴とする衝撃音遮断二重床構造。
【請求項５】
請求項１乃至請求項４のいずれかに記載の衝撃音遮断二重床構造において、前記床板材の上に振動衝撃緩和材を配置し、この振動衝撃緩和材の上に床表面仕上げ材を配置したことを特徴とする衝撃音遮断二重床構造。
【発明の詳細な説明】
【０００１】
【産業上の利用分野】
この発明は、床鳴りの防止と配管スペースの確保を実現する衝撃音遮断二重床構造に関する。
【０００２】
【従来の技術】
従来より、マンション等のＲＣ造（鉄筋コンクリート造）の建屋では二重床構造が広く用いられている。図４は、従来の二重床構造の一例を示した断面図である。この二重床構造は、レベル調整機構が付いた支持脚５１をコンクリートスラブ５２上に配置し、支持脚５１における受け板５１ａ上にパーチクルボード５３を載せてボルト５４により固定し、前記パーチクルボード５３上に床表面仕上げ材５５を設けた構造である。前記支持脚５１は、その下部に防振ゴム５１ｂを具備している。この防振ゴム５１ｂを備えることにより、床表面仕上げ材５５として軟らかい材料であるＣＦ（クッションフロア）シートや防音フロア等を用いることなく、軽量床衝撃音の遮断性を確保している。一方、重量床衝撃音の遮断性に関しては、ＲＣ造等のコンクリートスラブによって十分な床断面の質量を確保できるので、１６０ｍｍ程度のスラブ厚にて床衝撃音遮断性能ＬＨ−５５を達成できる。
【０００３】
【発明が解決しようとする課題】
しかしながら、上記従来の二重床構造では、一般に支持脚５１を４５０ｍｍ或いは６５０ｍｍ間隔に一つずつ点在的に設置してパーチクルボード５３を留め付けていくため、熟練した専門の施工者でなければ施工が難しく、施工時間も長くなる。また、支持脚５１の種類が床板の目地部や壁際部等において異なるのが通例であるから、部品数の増加や施工の煩雑化を招いている。また、防振ゴム５１ｂが十分に軟らかくないと重量床衝撃音の遮断性をかえって低下させてしまうという問題もある。
【０００４】
一方、在来の木造住宅やプレハブ住宅における床構造においては、床表面仕上げ材の改良によって軽量床衝撃音の遮断性能は向上している。しかし、床断面の剛性や質量が絶対的に小さいために重量床衝撃音の遮断性はＲＣ造に比較して劣っているのが実情である。また、プレハブ住宅等では床衝撃音の遮断性を向上させるために床スラブ版としてＡＬＣ（軽量気泡コンクリート）版等を採用しているが、ＡＬＣ版等への床材の貼り付けにはコンクリート用ビスが用いられ、木ビスに比べて打ち込み難く、その本数も多くなりがちである。更に、ＡＬＣ版等における防振構造でもＲＣ造の床衝撃音遮断性能に到達することは容易でない。すなわち、木造住宅やプレハブ住宅等では、床断面質量が絶対的に不足していることから音響透過損失はどうしても小さくなる。一方、床厚を増大させることによって音響透過損失を大きくしようとしたり、或いは独立天井等を採用しようとする場合には、大幅な設計変更が必要になってしまう。
【０００５】
この発明は、上記の事情に鑑み、施工が容易で優れた床衝撃音遮断性を有する衝撃音遮断二重床構造を提供することを目的とする。
【０００６】
【課題を解決するための手段】
この発明の衝撃音遮断二重床構造は、上記の課題を解決するために、複数の床スラブ版を配置し、Ｔ形鋼における突出片部を床スラブ版の目地間に落とし込み、Ｔ形鋼における平板部上に角材を配置し、この角材上に床板材を配置したことを特徴とする。
【０００７】
上記の構成であれば、断面Ｔ形を有することによって高い剛性を備えたＴ形鋼に床面からの衝撃が固体伝播することになり、このＴ形鋼における高い剛性を効果的に利用して重量床衝撃音の発生を抑制することができる。更に、Ｔ形鋼における突出片部を床スラブ版の目地間に落とし込むので、床厚の大幅な変更を生じさせないで済むことができる。また、角材を床板材の支持体として二重床を構成するので、支持脚を一つずつ点在的に設置する施工法に比べて施工が容易であり、熟練を要しない利点がある。更に、床板材を角材上に載せてこれに留め付ければよいので、コンクリートビスを用いた施工を不要にし得る。
【０００８】
前記床スラブ版は、長方形状を有して互いの長辺及び短辺同士を向かい合わせて配置され、前記Ｔ形鋼は、少なくとも床スラブ版の長辺と同等の長さを有し、その突出片部を床スラブ版の長辺側の目地間に落とし込んでいるのがよい。これによれば、断面Ｔ形を有することによって高い剛性を備えたＴ形鋼が長方形状の床スラブ版の長辺に沿って配置されるため、長方形状の床スラブ版の長辺方向において生じる床振動モードを低減することができる。
【０００９】
前記Ｔ形鋼における平板部下面と床スラブ版との間に振動衝撃緩和材が設けられているのがよい。また、Ｔ形鋼における平板部上面と角材との間に振動衝撃緩和材が設けられているのがよい。また、床板材の上に振動衝撃緩和材を配置し、この振動衝撃緩和材の上に床表面仕上げ材を配置するのがよい。これらの構成であれば、振動衝撃緩和材の介在によって衝撃音の発生防止が図られるとともに衝撃音の遮断効果が一層高められることになる。ここで、振動衝撃緩和材とは振動や衝撃を緩和する材料であり、防振材、緩衝材、吸音材、或いは制振材と呼ばれるもの全てを含む。
【００１０】
【発明の実施の形態】
以下、この発明の実施形態を図１乃至図３に基づいて説明する。図１はこの実施形態の衝撃音遮断二重床構造を示した斜視図であり、図２（ａ）は同平面図であり、図２（ｂ）は図１のＡ−Ａ矢視断面図であり、図３（ａ）及び図３（ｂ）はそれぞれ衝撃音遮断二重床構造の変形例を示した断面図である。
【００１１】
図１に示すように、複数のコンクリートスラブ１が床梁２上に架け渡して設けられる。床梁２上に上記コンクリートスラブ１を架け渡す手法（例えば、小梁の設置など）やコンクリートスラブ１を床梁２に固定する手法については既存の手法を用いればよい。なお、コンクリートスラブ１を床梁２に固定する手法としては、コンクリートスラブ１に貫通孔を形成しておき、一端側にねじ部を有し他端側に略９０°回動可能なフック部を有したＬ字変形可能な固定具を前記貫通孔に挿通し、この挿通の後に当該固定具をＬ字変形させて前記フック部を床梁に係止させ、ねじ部にナットを螺着する手法を用いることができる（特開平１０−１８３８３４号公報参照：ＩＰＣ  Ｅ０４Ｂ  ５／０２）。
【００１２】
この実施形態においては、コンクリートスラブ１として長方形板状を有するＡＬＣ（軽量気泡コンクリート）版を用い、床梁２としてＨ型鋼を用いている。長方形板状を成すコンクリートスラブ１は、図２（ａ）にも示すように、互いの長辺及び短辺同士を向かい合わせて枡目状に並べられており、長辺側の目地および短辺側の目地を一直線に連続させている。また、床梁２とコンクリートスラブ１との間には衝撃音の発生を防止するために防振ゴム３を介在させてある。
【００１３】
ＣＴ鋼（カットＴ形鋼）４はこの実施形態では二つ分のコンクリートスラブ１の長辺に渡る長さを有している。ＣＴ鋼４はその突出辺部４ａをコンクリートスラブ１の長辺側の目地間に落とし込んでコンクリートスラブ１上に配置されているだけであり、ＣＴ鋼４とコンクリートスラブ１とを固定してはいない。ＣＴ鋼４とコンクリートスラブ１の熱膨張率が互いに異なることに配慮したものである。ＣＴ鋼４とコンクリートスラブ１とを固定していなくても、ＣＴ鋼４の突出辺部４ａが目地間に落とし込まれていることにより、ＣＴ鋼４のずれ動きは生じない。また、この実施形態では、図２（ｂ）に示すように、ＣＴ鋼４の平板部４ｂとコンクリートスラブ１との間には衝撃音の発生を防止するために振動衝撃緩和材として緩衝材５を設けている。緩衝材５としては発泡ポリエチレンから成るクッションフォームを用いているが、これに限定するものではない。
【００１４】
ＣＴ鋼４における平板部４ｂ上には、衝撃音の発生を防止するために振動衝撃緩和材として防振ゴム６を設けてある。この防振ゴム６上にＣＴ鋼４と同等の長さを有する角材７を配置している。角材７としては、木根太や角パイプ等を用いる。角材７は平板部４ｂ上に防振ゴム６を介して載せ置くのみとし、角材７とＣＴ鋼４とを固定してはいない。なお、図では角材７をＣＴ鋼４に平行に配置しているが、ＣＴ鋼４に直交させて配置する構造を採用してもよい。そして、この角材７の上にパーチクルボード８を配置して固定している。すなわち、角材７を支持体としてコンクリートスラブ１とパーチクルボード８との間に空間を形成し、当該空間を利用して配管１５等を設置できる二重床構造を得ている。パーチクルボード８と角材７との固定には木ビスを用いている。また、この実施形態では、角材７の配置ピッチを６０６ｍｍ幅とし、パーチクルボード８の厚みを２０ｍｍとしている。そして、このパーチクルボード８の上に床表面仕上げ材９を配置している。
【００１５】
以上説明した衝撃音遮断二重床構造であれば、高い剛性を備えたＣＴ鋼４に床面の衝撃が固体伝播することになり、このＣＴ鋼４における高い剛性を効果的に利用して重量床衝撃音（子供が床で飛び跳ねたとき等に生じる重くて鈍い音）の発生を抑制することができる。更に、ＣＴ鋼４における突出片部４ａをコンクリートスラブ１の目地間に落とし込むので、床厚の大幅な変更を生じさせないで済むことができる。また、角材７をパーチクルボード８の支持体として二重床を構成しているので、支持脚を一つずつ点在的に設置する施工法に比べて施工が容易であり、熟練を要しない利点がある。更に、パーチクルボード８を角材７上に載せ、これらを木ビスで固定しているので、コンクリートビスを用いた施工が不要である。また、この実施形態では、高い剛性を備えるＣＴ鋼４がコンクリートスラブ１の長辺に沿って配置されるので、コンクリートスラブ１の長辺方向において生じる床振動モードを低減することができる。また、この実施形態ではＣＴ鋼４における平板部４ｂとコンクリートスラブ１との間に緩衝材５を介在させており、更にＣＴ鋼４における平板部４ｂと角材７との間に防振ゴム６を介在させているので、衝撃音の発生防止が図られるとともに衝撃音の遮断効果が一層高められることになる。
【００１６】
図３（ａ）に示す衝撃音遮断二重床構造は、パーチクルボード８上に振動衝撃緩和材として制振材１０を設け、この制振材１０上に捨貼（例えばベニヤ板等）１１を貼付し、この捨貼１１上に床表面仕上げ材９を配置した構造を有する。制振材１０としてはアスファルト系制振材を用いているが、これに限定するものではない。この図３（ａ）に示した構造であれば、床衝撃時の発生音を更に低減し、床衝撃音の遮断効果を一層高めることができる。また、図３（ｂ）に示す衝撃音遮断二重床構造は、コンクリートスラブ１としてＡＬＣ版よりも薄型のＰＣ版を用いた構造であり、床厚の増大を抑えたものである。
【００１７】
【発明の効果】
以上説明したように、この発明の衝撃音遮断二重床構造によれば、高い剛性を有するＴ形鋼によって重量床衝撃音の発生を効果的に抑制できる。更に、Ｔ形鋼における突出片部を床スラブ版の目地間に落とし込むことにより、床厚の大幅な変更は生じないので、プレハブ住宅等において床衝撃音遮断性能ＬＨ−５５を達成しようとする場合でも、大幅な設計変更が必要になることはない。また、角材を床板材の支持体として二重床を構成するので、支持脚を一つずつ点在的に設置する施工法に比べて施工が容易であり、熟練を要しない利点がある。更に、床板材を角材上に載せてこれに留め付ければよいので、コンクリートビスを用いた施工を不要にし得る。
【００１８】
長方形状を有する床スラブ版の長辺側の目地間にＴ形鋼の突出片部を落とし込む構造では、高い剛性のＴ形鋼が床スラブ版の長辺に沿って配置されるので、長方形状の床スラブ版の長辺方向において生じる床振動モードを低減することができる。
【００１９】
前記Ｔ形鋼における平板部下面と床スラブ版との間に振動衝撃緩和材が設けられている構造、Ｔ形鋼における平板部上面と角材との間に振動衝撃緩和材が設けられている構造、床板材の上に振動衝撃緩和材を配置し、この振動衝撃緩和材の上に床表面仕上げ材を配置した構造であれば、振動衝撃緩和材の介在によって衝撃音の発生防止が図られるとともに衝撃音の遮断効果が一層高められることになる。
【図面の簡単な説明】
【図１】この発明の実施形態の衝撃音遮断二重床構造を示した斜視図である。
【図２】同図（ａ）は衝撃音遮断二重床構造の平面図であり、同図（ｂ）は図１のＡ−Ａ矢視断面図である。
【図３】同図（ａ）及び同図（ｂ）は各々衝撃音遮断二重床構造の変形例を示した断面図である。
【図４】従来の二重床構造を示した断面図である。
【符号の説明】
１    コンクリートスラブ
２    床梁
３    防振ゴム
４    ＣＴ鋼
４ａ  突出辺部
４ｂ  平板部
５    緩衝材
６    防振ゴム
７    角材
８    パーチクルボード
９    床表面仕上げ材
１０  制振材
【図１】
0004409053.tif 000002
【図２】
0004409053.tif 000003
【図３】
0004409053.tif 000004
【図４】
0004409053.tif 000005